(57)【特許請求の範囲】
【請求項１】
受信した画データをライン毎に管理しているラインバッファに白ライン計数手段を有し、あるラインに全白のデータが入力された場合には白ラインとして計数を開始し、そのライン数が、予め設けたライン数を越えた場合には誤って送信されてきたデータと見なし、直ちに受信終了するファクシミリ装置において、送信側端末のＮＳＳに受信制限処理中止のＯＮ／ＯＦＦビットを予め割り付けておき、これをＯＮにして通信を開始すると、このＯＮを受けた受信側では、通常行われている前記受信終了を行わないことを特徴とするファクシミリ装置。
【請求項２】
受信した画データをライン毎に管理しているラインバッファにライン比較手段、異常ライン計数手段を有し、あるラインを前記ライン比較手段に入力して次のラインと比較し、その結果、前ラインと現ラインが同じだった場合には計数を開始し、計数した同一ライン数が予め定めたライン数を越えた場合には異常画像として直ちに受信終了するようにしたファクシミリ装置において、送信側端末のＮＳＳに受信制限処理中止のＯＮ／ＯＦＦビットを予め割り付けておき、これをＯＮにして通信を開始すると、このＯＮを受けた受信側では、通常行われている前記受信終了を行わないことを特徴とするファクシミリ装置。
【発明の詳細な説明】
【０００１】
【発明の属する技術分野】
本発明は、ファクシミリ装置、より詳細には、相手機端末にエラーが発生した場合等の無駄なデータ受信を行わないようにしたファクシミリ装置に関する。
【０００２】
【従来の技術】
特開平５−１６０３９０号公報には、不特定の他人から出力用紙の消耗等を目的としてファクシミリ送信されてきた場合に、被害を最小限で食い止めるために、受信を行う最大データ量を相手端末機との間で予め指定しておき、受信時に、最大データ量以上のデータが送信されてきた場合に受信を制限する発明が提案されている。
【０００３】
【発明が解決しようとする課題】
ところが、上記公報記載の発明では、受信時の最大量が決定されているため、緊急に大量の画像を送信しなければならない必要が生じた場合でも一定量で制限されてしまう不具合が考えられる。又、端末毎に制限をかけているため、通信相手が多数存在するユーザの場合には、制限を記録しておくメモリ容量も膨大になることが予測される。また、前記公報の発明の目的に記されているような悪質なケースでなくても、原稿が途中で引っ掛かったために不用なデータのみが大量に送信されるケース、誤って原稿面の裏面の白紙のみを送信してしまうケースなどで不用な受信を行ってしまうことが考えられる。
【０００４】
そこで、本発明では、自機内のメモリに登録した相手端末毎の情報を基にした、限られた制限ではなく、また、誤って送信面の裏側の白紙画像が送信されてきた場合には最少ページで受信を制限すること等ができる、メモリの消費量を押さえ、且つ、無駄なデータの受信を最小限で押さえることで無駄な記録紙出力をやめ、無駄な通信時間を費やすことがなくなり、また、必要な情報はたとえ大量となっても確実に受信することのできるファクシミリ装置を提案する。
【０００５】
【課題を解決するための手段】
請求項１の発明は、受信した画データをライン毎に管理しているラインバッファに白ライン計数手段を有し、あるラインに全白のデータが入力された場合には白ラインとして計数を開始し、そのライン数が、予め設けたライン数（現受信原稿サイズの１.５ページ分のライン数など）を越えた場合には誤って送信されてきたデータと見なし、直ちに受信終了するようにし、もって、送信側が誤って原稿の裏の白紙面を送信してしまった場合などに、受信側は無駄な紙の排出を最小限に止めることが出来るようにし、更に、送信側端末のＮＳＳに受信制限処理中止のＯＮ／ＯＦＦビットを予め割り付けておき、このビットをＯＮにして通信を開始すると、このＯＮビットを受けた受信側では、前述の受信終了を行わないようにし、もって、受信側付加を軽減したい時に、通常受信側で行われている前述の受信終了を受信側が行わないようにし、受信側端末の付加を軽減し、受信側での他の動作とのデュアル動作をスムーズにするようにしたものである。
【０００６】
請求項２の発明は、受信した画データをライン毎に管理しているラインバッファにおいて、ライン比較手段、異常ライン計数手段を設け、あるラインを前記ライン比較手段に入力して次のラインと比較し、その結果、前ラインと現ラインが同じだった場合には計数を開始し、計数した同一ライン数が予め定めたライン数を越えた場合には異常画像として直ちに受信終了することを特徴とし、もって、原稿送信中に、原稿がジャムなどによって引っ掛ってしまった場合に同一の無駄な画像が大量に送信されてくるケースにおいて、受信側はこれを直ちに中止し、無駄な原稿排出を押さえ、又、無駄な通信時間の消費をやめることが出来るようにし、更には、必要な情報はその量にかかわらず、確実に受信出来るようにし、更に、送信側端末のＮＳＳに受信制限処理中止のＯＮ／ＯＦＦビットを予め割り付けておき、このビットをＯＮにして通信を開始すると、このＯＮビットを受けた受信側では、前述の受信終了を行わないようにし、もって、受信側付加を軽減したい時に、通常受信側で行われている前述の受信終了を受信側が行わないようにし、受信側端末の付加を軽減し、受信側での他の動作とのデュアル動作をスムーズにするようにしたものである。
【０００８】
【発明の実施の形態】
図１は、本発明が適用されるファクシミリ装置の一例を示すブロック構成図で、図中、２はファクシミリ装置（以下、単に装置という）としての基本プログラムや、本発明の処理プログラムなどが格納されているＲＯＭ、１は上記のＲＯＭ２内のプログラムに従って本装置の各部を制御し、本発明の処理を実行するＣＰＵ、３はワークエリアが形成されて、ファクシミリ装置の制御に必要な種々のデータが記録されるＲＡＭ、４は原稿を読みとるスキャナ、５はコピーや受信原稿の印字を行うプロッタである。６はユーザからの操作を入力し、情報をユーザに伝える操作・表示制御部、７は相手ファクシミリ装置との間でファクシミリ制御信号を交換し、ファクシミリ通信手順を実行する通信制御部（ＣＣＵ）、８は送信信号の変調、受信信号の復調を行うモデム、９は通信回線の制御を行う網制御部（ＮＣＵ）、１０は画情報を所定の符号化方式に従って符号化し、また、符号化された画情像を復号化する符号化復号化部（ＤＣＲ）、１１は画像の蓄積を行うＳＡＦ（Ｓｔｏｒｅ  ａｎｄ  Ｆｏｒｗａｒｄ）メモリ、１２は上記各手段を互いに接続しているバスである。
【０００９】
図２は、上述のごとく構成されたファクシミリ装置の動作説明をするための図で、通常は相手端末からの着呼を受け付けた後、画情報は復号化部１０において元の生データに戻し、ＲＡＭ３に書き込んでいく。この情報をプロッタ部５から出力している。本発明においては、復号化部１０において、データを復号する以前に白ライン計数手段において圧縮データの状態で白ラインパターンと比較する。ここでラインが白ラインと判定された場合には計数し、本来の復号化作業を行う。又、白ラインではなかった場合にはライン比較手段にデータをコピーし、復号化部においては本来の復号化作業を行う。ライン比較手段にコピーされたデータは保存され、上述の行程を経て次のラインがコピーされた時、前ラインと新たに入力されたラインとの比較を行う。この結果、前ラインと新ラインが同一だった場合には異常ライン計数手段において計数を開始し、新ラインを前ラインとして同様の作業を繰り返す。又、比較時に同一ラインでないと判断された場合や、途中で白ラインの検出が行われた場合には前ラインと異常ライン計数手段をリセットし、始めから手順を踏み直すこととなる。この結果、白ラインや異常連続したラインが存在しなかった場合には連続的に受信することが可能となっている。
【００１０】
図３は、本発明の動作説明をするための図で、フェーズＢのＮＳＳにおいて、ＦＩＦビットに「受信制限処理中止のＯＮ／ＯＦＦ」をビットアサインで割り付ける（表１にＮＳＳ（Non-Standard Set-up)ＦＩＦ（Facsimile Information Field)のビット割付けを示す）。これを受けた受信側端末は白ライン計数手段、ライン比較手段、異常ライン計数手段の動作を停止させる。すなわち、復号化部に入ってきたデータは通常通り復号され、ＲＡＭに生データが展開され、プロッタ出力する。これによって、受信時の負荷が軽減され、受信と同時にデュアル動作出来る機能（メモリ送信原稿読み込み）等の通常のデュアル動作機能の速度向上をはかることができる。
【００１１】
【表１】
0003594756.tif 000002
【００１２】
【発明の効果】
請求項１の発明は、受信した画データをライン毎に管理しているラインバッファにおいて、白ライン計数手段を設け、あるラインに全白のデータが入力された場合には白ラインとして計数を開始し、そのライン数が、予め設けたライン数（現受信原稿サイズの１.５ページ分のライン数など）を越えた場合には誤って送信されてきたデータと見なし、直ちに受信終了するようにしたので、送信側が誤って原稿の裏の白紙面を送信してしまった場合などに、受信側は無駄な紙の排出を最小限に止めることが出来、更には、送信側端末のＮＳＳに予め受信制限処理中止のＯＮ／ＯＦＦビットを割り付けておき、これをＯＮにして通信を開始すると、これを受けた受信側では、前述の受信終了を行わないので、ＮＳＳで通知した後に画情報のやり取りを行うため、送信原稿に間違いが無いことが明らかであり、受信側の負荷を軽減したい時に通常受信側で行われている前述の受信終了を受信側が行わないため、受信側端末の負荷が軽減し、受信側での他の動作とのデュアル動作をスムーズにすることが出来る。
【００１３】
請求項２の発明は、受信した画データをライン毎に管理しているラインバッファにおいて、ライン比較手段、異常ライン計数手段を設け、あるラインをライン比較手段に入力し次のラインと比較し、その結果、前ラインと現ラインが同じだった場合には計数を開始し、計数した同一ライン数が予め設けたライン数を越えた場合には異常画像として直ちに受信終了するようにしたので、原稿送信中に、原稿がジャムなどによって引っ掛ってしまった場合に同一の無駄な画像が大量に送信されてくるようなケースにおいて、受信側はこれを直ちに中止し、無駄な原稿排出を押さえ、又、無駄な通信時間の消費をやめることが出来、また、この方法では通常の原稿には制限がかからないこととなるため、必要な情報はその量にかかわらず、確実に受信することが出来、更には、送信側端末のＮＳＳに予め受信制限処理中止のＯＮ／ＯＦＦビットを割り付けておき、これをＯＮにして通信を開始すると、これを受けた受信側では、前述の受信終了を行わないので、ＮＳＳで通知した後に画情報のやり取りを行うため、送信原稿に間違いが無いことが明らかであり、受信側の負荷を軽減したい時に通常受信側で行われている前述の受信終了を受信側が行わないため、受信側端末の負荷が軽減し、受信側での他の動作とのデュアル動作をスムーズにすることが出来る。
【００１４】
請求項３の発明は、送信側端末のＮＳＦに受信制限処理中止のＯＮ／ＯＦＦビットを割り付けておき、これをＯＮにして通信を開始すると、これを受けた受信側では、通常行われている請求項１又は２の処理を行わないので、ＮＳＦで通知した後に画情報のやり取りを行うため、送信原稿に間違いが無いことが明らかであり、受信側の負荷を軽減したい時には通常受信側で行われている請求項１又は２の処理を受信側が行わないため、受信側端末の負荷が軽減し、受信側での他の動作とのデュアル動作をスムーズにすることが出来る。
【図面の簡単な説明】
【図１】本発明が適用されるファクシミリ装置の一例を示すブロック構成図である。
【図２】本発明が適用されるファクシミリ装置の動作説明をするための図である。
【図３】本発明における通信時の動作説明をするための図である。
【符号の説明】
１…ＣＰＵ、２…ＲＯＭ、３…ＲＡＭ、４…スキャナ、５…プロッタ、６…操作・表示制御部、７…通信制御部（ＣＣＵ）、８…モデム、９…網制御部（ＮＣＵ）、１０…符号化復号化部（ＤＣＲ）、１１…ＳＡＦ（Store and Forward）メモリ、１２…バス。
【図１】
0003594756.tif 000003
【図２】
0003594756.tif 000004
【図３】
0003594756.tif 000005